(57)【要約】【課題】内機レールの位置や間隔の変更を容易にできる構造を提供すること。【解決手段】ボルトホルダ１１を備えたキャビネット１と、ボルトホルダ１１を用いて水平に取り付けられた取付レール２と、取付レール２にスライド移動可能に保持されたスライドスタッド２１と、内機ユニット３を支える内機レール４と、を備え、内機レール４が、スライドスタッド２１を用いて取付レール２に固定された盤内機器取付構造とする。【選択図】図１
2019004578.tif 000002
【特許請求の範囲】
【請求項１】
ボルトホルダを備えたキャビネットと、ボルトホルダを用いて水平に取り付けられた取付レールと、取付レールにスライド移動可能に保持されたスライドスタッドと、内機ユニットを支える内機レールと、を備え、内機レールが、スライドスタッドを用いて取付レールに固定された盤内機器取付構造。
【請求項２】
取付レールは、スライドスタッドに面する波形状の凹凸を備えた請求項１に記載の盤内機器取付構造。
【発明の詳細な説明】
【技術分野】
【０００１】
本発明は、盤内機器取付構造に関するものである。
【背景技術】
【０００２】
特許文献１に記載されているように、キャビネット内に内機ユニットを取り付けることが知られている。内機ユニットを内機レールを介してキャビネットに取り付ける場合、キャビネット内の四隅に設けられたボルトホルダを用いて内機レールを固定することが一般的である。
【先行技術文献】
【特許文献】
【０００３】
【特許文献１】特開２０１６−２０８６１８号公報
【０００４】
ところで適切に設置した盤であっても、年月の経過や環境の変化などにより、盤内の機器の入れ替えや、追加の計測機器の導入、配線の引き回しルートの変更などが求められる場合がある。この際、設置当初とは異なる盤内の利用のされ方となることにより、内機レールの位置や間隔を調整したくなる場合がある。しかしながら、従来の盤の構造では、設置されている内機レールの間隔の変更はできなかった。また、設置された現場で新しく内機レールを取り付けようとしても、現場での寸法合わせは容易にできるものではなかった。
【発明の概要】
【発明が解決しようとする課題】
【０００５】
本件の発明者は、この点について鋭意検討することにより、解決を試みた。本発明の課題は、内機レールの位置や間隔の変更を容易にできる構造を提供することである。
【課題を解決するための手段】
【０００６】
上記課題を解決するため、ボルトホルダを備えたキャビネットと、ボルトホルダを用いて水平に取り付けられた取付レールと、取付レールにスライド移動可能に保持されたスライドスタッドと、内機ユニットを支える内機レールと、を備え、内機レールが、スライドスタッドを用いて取付レールに固定された盤内機器取付構造とする。
【０００７】
また、取付レールは、スライドスタッドに面する波形状の凹凸を備えた構成とすることが好ましい。
【発明の効果】
【０００８】
本発明では、内機レールの位置や間隔の変更を容易にできる構造を提供することが可能となる。
【図面の簡単な説明】
【０００９】
【図１】実施形態の盤の正面図である。
【図２】略Ｃ字状の部材からなる取付レールの側面図である。
【図３】図２の取付レールにスライドスタッドが組み込まれた状態を示す側面図である。
【図４】波形状の凹凸を備えた取付レールにスライドスタッドが組み込まれた状態を示す斜視図である。
【図５】図４のＶ−Ｖ矢視図である。
【図６】図５のＶＩ−ＶＩ矢視図である。
【図７】図４の取付レールに組み込まれたスライドスタッドの傾きと波形状の凹凸との関係を表した図である。
【図８】図７に示したものとは異なるスライドスタッドを取付レールに組み込んだ場合の、スライドスタッドの傾きと波形状の凹凸との関係を表した図である。
【図９】図１に示した内機レールを左側に移動させた状態を示した盤の正面図である。
【図１０】調整金具を介して取付レールを固定した状態を表した図である。
【発明を実施するための形態】
【００１０】
以下に発明を実施するための形態を示す。図１に示すように、本実施形態の盤内機器取付構造では、ボルトホルダ１１を備えたキャビネット１と、ボルトホルダ１１を用いて水平に取り付けられた取付レール２と、取付レール２にスライド移動可能に保持されたスライドスタッド２１と、内機ユニット３を支える内機レール４と、を備えている。また、内機レール４が、スライドスタッド２１を用いて取付レール２に固定されている。このため、スライドスタッド２１の位置を変更することにより、内機レール４の位置や間隔を変更することが可能となる。したがって、内機レール４の位置や間隔の変更を容易にすることができる。
【００１１】
本実施形態の盤のキャビネット１の四隅には、ボルトがねじ込まれるボルトホルダ１１が設けられている。このボルトホルダ１１は取付レール２の固定に利用されるボルトを取り付けるために使用される。また、取付レール２は長手方向が水平方向に延びるように固定されている。
【００１２】
図２に示す取付レール２は、断面視略Ｃ字状に構成されており、長手方向に沿って所定間隔で目盛りが設けられている。この取付レール２に対して、スライドスタッド２１は、図３に示すように組み込まれる。取付レール２に組み込まれたスライドスタッド２１は、取付レール２の長手方向にスライド移動できる。この取付レール２の長手方向の両端側の各々には、取付レール２を固定する際に用いられるねじ固定孔２２が設けられている。本実施形態のねじ固定孔２２は長孔であり、取付レール２の平面板状の部位に設けられている。
【００１３】
図４乃至図７に示す例では、取付レール２は、スライドスタッド２１に面する波形状の凹凸２３を備えている。スライドスタッド２１は、この波形状の凹凸２３に上下両側から挟まれるようにして、移動可能に支持される。ここでは、波形状の凹凸２３を備えた取付レール２とする為に、断面視略Ｃ字状に構成された金属製のレール部材２４に対して、連続した凹凸が形成された樹脂部材を挿入している。また、この例ではボルト状のスライドスタッド２１の頭部が波形状の凹凸２３間に位置するように配置されている。
【００１４】
図４乃至図７に示す例では、非真円状に設けられた頭部が所定の向きである場合は、波形状の凹凸２３がスライドスタッド２１のスライド移動を規制する一方、頭部が所定の向きでない場合には、波形状の凹凸２３の存在に関わらずスライドスタッド２１が取付レール２内を自由にスライド移動できるように構成されている。本実施形態の波形状の凹凸２３は一定間隔で凹凸が繰り返されるものであるため、この凹凸を目安にしてスライドスタッド２１の位置を確認することができる。
【００１５】
波形状の凹凸２３と接し得るようなスライドスタッド２１とするため、ここでは金属製のボルトに樹脂製のキャップを被せている。このキャップは偏芯した円形状などにすることによって、スライドスタッド２１が波形状の凹凸２３と接し得るように構成している。具体的には、自由にスライド可能な状態にあるスライドスタッド２１を略９０度ひねるように回転させることにより、キャップに設けた凸部が波形状の凹凸２３と係合し得るように構成している。なお、この凸部を波形状の凹凸２３と係合させれば、スライドスタッド２１の位置決めを効率的に行うことができる。
【００１６】
スライドスタッド２１は各種の形状とすることができる。例えば、図８に示すように多角形状の頭部を備えた構成とすることもできる。このようにすると、長手方向の長さを確保しつつ、短手方向の長さを比較的短くすることができる。
【００１７】
本実施形態においては、スライドスタッド２１の固定を緩め、スライドスタッド２１をスライド可能な向きに変更すれば、スライドスタッド２１を左右方向に向けて自由にスライド移動させることが可能となる。これにより内機レール４を水平方向に移動させることができるため、例えば、図１に示す状態から図９に示すように内機レール４を移動させることで、盤内の右側に新たに機器を設置するための空間Ｓ１を確保することができる。
【００１８】
また、スライドスタッド２１のガイドレールとなる取付レール２を上下方向に移動させたい場合には、図１０に示すように、調整金具５を使用すればよい。図１０に示す例においては、複数の孔部５１を備える調整金具５をボルトホルダ１１を用いて取り付ける。これらの孔部５１は上下方向に間隔をおくように設けられているため、所望の取付レール２の高さに合わせて適切な孔部５１を選択すればよい。例えば、図１０に示す例においては、盤の下部に機器を設置する空間Ｓ２を設けるため、ボルトホルダ１１から上方に延びるように調整金具５を配置しており、ボルトホルダ１１より上方に取付レール２が位置するように構成している。
【００１９】
本実施形態のように、内機レール４を左右方向にスライド移動可能な構成とすると、内機レール４の位置調整をすることで、キャビネット１の右側や左側に通信機器などを設置するスペースを設けることができる。また、本実施形態においては、二本の内機レール４を架け渡すように渡し部材８が取り付けられており、この渡し部材８に内機ユニット３が固定されているが、内機レール４同士の間隔を調整できるため、渡し部材８や内機ユニット３などの種類を変更する場合にも、変更の自由度を高めることが可能となる。
【００２０】
以上、いくつかの実施形態を中心に説明してきたが、本発明は上記実施形態に限定されることはなく、各種の態様とすることが可能である。例えば、ボルトホルダから下方に延びる調整金具を用い、ボルトホルダより下方に取付レールが位置するように構成することも可能である。
【００２１】
内機ユニットの取り付けは、渡し部材を介して行われる必要は無い。例えば、渡し部材を介さずに、内機レールに内機ユニットを取り付けても良い。
【００２２】
スライドスタッドはボルト状ではなく、ナット状のものにすることも可能である。
【００２３】
波板状の凹凸は、取付レールの上下両側に設けられている必要は無い。例えば、スライドスタッドの上側だけ若しくは下側だけに設けられている構成としても良い。
【００２４】
波形状の凹凸は、個々の凹や凸が線対称状に設けられている必要は無く、非対称状に設けられている構成とすることも可能である。
【符号の説明】
【００２５】
１  キャビネット
２  取付レール
３  内機ユニット
４  内機レール
１１  ボルトホルダ
２１  スライドスタッド
２３  波板状の凹凸
【図１】
2019004578.tif 000003
【図２】
2019004578.tif 000004
【図３】
2019004578.tif 000005
【図４】
2019004578.tif 000006
【図５】
2019004578.tif 000007
【図６】
2019004578.tif 000008
【図７】
2019004578.tif 000009
【図８】
2019004578.tif 000010
【図９】
2019004578.tif 000011
【図１０】
2019004578.tif 000012